(57)【要約】【課題】家庭で使用されるレンジフードにおいて、風量−静圧特性、騒音特性を悪化させないこと、且つ収納スペースを拡大させること、且つ油の蓄積をさせないこと、且つ騒音の低下をすることを目的とする。【解決手段】捕集部１の上面に吸込チャンバ２と送風機３とモータ４で構成された送風ユニット１０２を備え、送風ユニット１０２の上面も若しくは左右面の少なくとも１面に送風ユニット１０２により本体１０１内に吸込まれた空気を排気させるアダプタ部１０４を備えたとし、捕集部１を薄型化にし、キッチンの収納スペースを確保しながらも、アダプタ部の取付面を限定せず、また、送風ユニット１０２内の圧力損失を最小限にすることにより気流のロスを減少させ、発生する騒音を低減し、送風ユニット１０２に油が蓄積し続けないレンジフードが得られる。【選択図】図１
2005282982.tif 000002
【特許請求の範囲】
【請求項１】
捕集部とこの捕集部の後段に連通された吸込チャンバーを有し、送風機とモータで構成された送風装置と前記吸込チャンバーとを連通し構成された直方体の外郭をもつ送風ユニットと、この送風ユニットの外郭に送風装置によって吸引された空気を排気させる丸穴形状の開口部を持つアダプタ部を配した構成において、送風機をケーシングレスのターボファンとし、前記モータのシャフト軸と平行となる前記外郭の４面のうち１面であって、前記吸込チャンバーに配した吸込口を備え、前記外郭の他の３面のいずれか１面であって、前記送風装置に配した前記アダプタ部を備えることを特徴とするレンジフード。
【請求項２】
ターボファンの羽根径をアダプタ部の丸穴径の２倍以上とし、羽根幅を丸穴径の１／２倍以下としたことを特徴とした請求項１記載のレンジフード。
【請求項３】
送風ユニットにおいて、送風機の吸込みと反対側に仕切板を設置することにより送風機裏空間を設け、前記送風機から排出される空気がそのままアダプタ部へ流入する第一風路と前記送風機から排出された空気が前記送風機裏空間を通り前記アダプタ部へ流入する第二風路を持つことを特徴とする請求項１または２記載のレンジフード。
【請求項４】
アダプタ部の丸穴センター軸とモータのシャフト軸が同一平面上にあり、且つ略直角をなすことを特徴とする請求項１、２または３記載のレンジフード。
【請求項５】
送風ユニットの吸込平面の内側に、水平面に対し傾きを設けた斜板を付加することを特徴とする請求項１乃至４のいずれかに記載のレンジフード。
【請求項６】
仕切板の端部をＲ形状とすることを特徴とする請求項１乃至５のいずれかに記載のレンジフード。
【請求項７】
アダプタ部に流入する第一風路の第一空気と第二風路の第二空気が干渉しないように風路仕切を設けたことを特徴とする請求項１乃至６のいずれかに記載のレンジフード。
【請求項８】
風路仕切をアダプタ部と同一部品とすることを特徴とする請求項１乃至７のいずれかに記載のレンジフード。
【請求項９】
送風ユニットの外郭の一部が風路仕切となることを特徴とする請求項１乃至７のいずれかに記載のレンジフード。
【請求項１０】
送風ユニットの内壁材料をポーラス材としたことを特徴とする請求項１乃至９のいずれかに記載のレンジフード。
【発明の詳細な説明】
【技術分野】
【０００１】
本発明は、調理時に発生する廃ガス、油煙、臭気などを確実に屋外へ排出する吊戸棚の下方に取付け可能なレンジフードに関する。
【背景技術】
【０００２】
従来、この種のレンジフードは、住宅の梁寸法や天井高さ寸法等の制約の中で排気ダクトを設置するために本体の薄形化や配管時の圧力損失低減や調理時に発生する廃ガス、油煙、臭気の捕集効率の向上が求められている。このような課題に対し、種々考案されたものが知られている（例えば、特許文献１参照）。
【０００３】
以下、そのレンジフードの構成について図９を参照しながら説明する。
図に示すように、送風ユニット１０２と外郭１０３とアダプタ部１０４と整流板１０５で構成された本体１０１は、本体１０１の側部下方に傾斜面１０６を形成した側面板１０７を設け、本体１０１の下面に沿う形状の水平部１０８と、傾斜面１０６に沿う形状の傾斜部１０９を設け、本体１０１の幅より狭く前方と側方に吸気口１１０が形成され上面には本体１０１との間に吸気流路１１１が形成される整流板１０５を設け、側面板１０７の傾斜面１０６の高さ位置より本体１０１側寄りに整流板１０５の傾斜部１０９を配設した構成となっている。
【０００４】
以上のように構成されたレンジフードの動作について説明する。
【０００５】
本体１０１の後方側より前方側の吸気口１１０の吸い込み風速が大きくなり、整流板１０５に沿い上昇する油煙を効率良く捕集し、本体１０１の厚みを薄くすることができる。
【特許文献１】特開２００１−３０４６４２号公報
【発明の開示】
【発明が解決しようとする課題】
【０００６】
このような従来のレンジフードでは、捕集性能を確保しながら本体薄形化のため送風機の吹出部とアダプタ部が近傍にあるために、アダプタ部の位置変更不可のため、アダプタ部よりＬ字配管による配管をしなければならなく、圧損増大により風量−静圧特性が悪化と騒音が上昇するという課題があり、また、風量−静圧特性を悪化させずにアダプタ部の位置を変更できるように送風機の吹出部とアダプタ部の間にチャンバーを設けることが可能だが、製品厚みが増大し収納スペースが減少するという課題があり、捕集部を薄型化し収納スペースを確保しつつ、Ｌ字配管を最小限にし風量−静圧特性、騒音特性を悪化させないためにアダプタ部の取付面に自由度を持たせることが要求されている。また、本体の、フラット部が多いため、送風機器に油が堆積するという課題があり、油が堆積しない構造が要求されている。
【０００７】
本発明は、このような従来の課題を解決するものであり、薄型の捕集部を実現しながらモータのシャフト軸方向が水平方向となるように送風機器を捕集部の上面にのせ、ケーシングレスのターボファンにすることによりアダプタ部の取付面に制約を無くすことが可能で、捕集部を薄型化すること、且つアダプタ部の取付面に自由度を持たせること、且つＬ字配管を最小限にすることができるので風量−静圧特性、騒音特性を悪化させないレンジフードを提供することを目的としている。
【０００８】
また、本体設置時の収納スペースを更に上げる課題があり、送風機器の更なる薄型化が要求されている。
【０００９】
本発明は、このような課題を解決するものであり、ターボファンの羽根径を大きくし、羽根幅を薄くすることにより、本体をキッチンに設置した時に捕集部の上面空間を広くすることが可能なので、収納スペースを拡大するレンジフードを提供することを目的としている。
【００１０】
また、送風機器の内部で油が堆積するという課題があり、一箇所に集めることが要求されている。
【００１１】
本発明は、このような課題を解決するものであり、送風ユニットの吸込面の内側に水平面に対し傾きを設けた斜板を付加することにより、油を一箇所に集めることが可能であり送風機器の内部で油が堆積することがないレンジフードを提供することを目的としている。
【００１２】
また、送風機器内部での共鳴による騒音を低減するという課題があり、吸音効果をもたせることが要求されている。
【００１３】
本発明は、このような課題を解決するものであり、送風機器内部での共鳴騒音をポーラス材にて吸音することにより、騒音を低減するというレンジフードを提供することを目的としている。
【課題を解決するための手段】
【００１４】
本発明のレンジフードは上記目的を達成するために、薄型の捕集部を実現しながらモータのシャフト軸方向が水平方向となるように送風機器を捕集部の上面にのせ、ケーシングレスのターボファンとしたものである。
【００１５】
この手段によりアダプタ部の取付面に制約を無くすことが可能で、Ｌ字配管を最小限にすることができるので風量−静圧特性、騒音特性を悪化させないとしたレンジフードが得られる。
【００１６】
また、本発明のレンジフードのターボファンは上記目的を達成するために、ターボファンの羽根径をアダプタ部の丸穴径の２倍以上とし、羽根幅を丸穴径の１／２倍以下としたものである。
【００１７】
これにより送風機器の薄型化ができ、本体をキッチンに設置した時に捕集部の上面空間を広くすることが可能なレンジフードが得られる。
【００１８】
また、本発明のレンジフードの斜板は上記目的を達成するために、送風ユニットの吸込面の内側に、水平面に対し傾きを設けたものである。
【００１９】
これにより送風機器の内部で油を一箇所に集めることが可能であり送風機器の内部で油が堆積することがないレンジフードが得られる。
【００２０】
また、本発明のレンジフードの送風ユニットの内壁材料は上記目的を達成させるために、ポーラス材としたものである。
【００２１】
これにより送風機器内部での共鳴騒音をポーラス材にて吸音し、共鳴騒音を低減することができるレンジフードが得られる。
【発明の効果】
【００２２】
本発明によれば、アダプタ部の取付面に制約を無くすことができ、すなわちアダプタ部の取付に自由度を持たすことが可能で、風量−静圧特性、騒音特性を悪化させないという効果のあるレンジフードを提供できる。
【００２３】
また、送風機器の薄型化ができ、本体をキッチンに設置した時に捕集部の上面空間を広くすることが可能なレンジフードを提供できる。
【００２４】
また、送風機器の内部で油が堆積することがないレンジフードを提供できる。
【００２５】
また、送風機内で発生する騒音を吸音し、共鳴騒音を低減することができるレンジフードを提供できる。
【発明を実施するための最良の形態】
【００２６】
本発明の請求項１記載の発明は、捕集部とこの捕集部の後段に連通された吸込チャンバを有し、送風機とモータで構成された送風装置と前記吸込チャンバとを連通し構成された直方体の外郭をもつ送風ユニットと、この送風ユニットの外郭に送風装置によって吸引された空気を排気させる丸穴形状の開口部を持つアダプタ部を配した構成において、送風機をケーシングレスのターボファンとし、前記モータのシャフト軸と平行となる前記外郭の４面のうち１面であって、前記吸込チャンバに配した吸込口を備え、他前記外郭の３面のいずれか１面であって、前記送風装置に配した前記アダプタ部を備えることであり、捕集部を薄型化することができ、且つアダプタ部の取付面に自由度を持たせることができ、且つＬ字配管を最小限にすることができるので風量−静圧特性、騒音特性を悪化させないという作用を有する。
【００２７】
また、ターボファンの羽根径をアダプタ部の丸穴径の２倍以上とし、羽根幅を丸穴径の１／２倍以下としたものであり、送風機器の薄型化ができ、本体をキッチンに設置した時に捕集部の上面空間を広くすることができるので本体をキッチンに設置した時に捕集部の上面空間を広くすることが可能なので、収納スペースを拡大するという作用を有する。
【００２８】
また、送風ユニットにおいて、送風機の吸込みと反対側に仕切板を設置することにより送風機裏空間を設け、前記送風機から排出される空気がそのままアダプタ部へ流入する第一風路と前記送風機から排出された空気が前記送風機裏空間を通り前記アダプタ部へ流入する第二風路を持つとしたものであり、ターボファンからの吹き出した気流に干渉することなくアダプタ部へ流入することができるという作用を有する。
【００２９】
また、アダプタ部の丸穴センター軸とモータのシャフト軸が同一平面上にあり、且つ略直角をなしたものであり、左右のアンバランスをなくすことができるという作用を有する。
【００３０】
また、送風ユニットの吸込平面の内側に、水平面に対し傾きを設けた斜板を付加したものであり、送風機器の内部で油が堆積することがないという作用を有する。
【００３１】
また、仕切板の端部をＲ形状とするしたものであり、気流を整流、転向し易くすることにより、発生する騒音を低減できるという作用を有する。
【００３２】
また、アダプタ部に流入する第一風路の第一空気と第二風路の第二空気が干渉しないように風路仕切を設けたものであり、ターボファンからの吹き出した気流のロスを減少するという作用を有する。
【００３３】
また、風路仕切をアダプタ部と同一部品としたものであり、本体取付時の部品点数を低減し、施工性をあげるという作用を有する。
【００３４】
また、送風ユニットの外郭の一部が風路仕切としたものであり、コスト低減と施工時の廃棄物を低減の両立させるという作用を有する。
【００３５】
また、送風ユニットの内壁材料をポーラス材としたものであり、吸音し、騒音を低減するという作用を有する。
【００３６】
以下、本発明の実施の形態について図面を参照しながら説明する。
【００３７】
（実施の形態１）
図１および図２に示すように、調理等で発生した廃ガス、油煙、水蒸気、臭気等を吸込む捕集部１と捕集部１の上面に吸込チャンバ２と送風機３とモータ４を内蔵し、板金など金属の箱体形状で構成された送風ユニット１０２を備え、送風ユニット１０２の下面には捕集部１で捕集された臭気などを吸込チャンバ２へ流入させるための吸込口５を備え、送風ユニット１０２の上面も若しくは左右面の少なくとも１面に送風ユニット１０２により本体１０１内に吸込まれた空気を排気させるアダプタ部１０４を備える。このアダプタ部１０４は、室外へ排気する経路である丸形状等のダクトに接続できる形状とするものでり、モータ４のシャフト軸方向とアダプタ部１０４の穴の軸方向が同一平面となるように備えている。捕集部１の上面において、送風ユニット１０２以外の場所は、収納スペース６が備わる。
【００３８】
図３において、送風ユニット１０２内の送風機３は、ケーシングレスのターボファン７であり、このターボファン７の羽根径はアダプタ部１０４の丸穴径よりも２倍以上且つ羽根幅は１／２以下となり、毎時４００ｍ３から毎時６００ｍ３の風量をモータ４で１３００ｒｐｍの回転数以下で駆動させている。また、ターボファン７の吸込側と反対面には仕切板８が送風ユニット１０２に螺子もしくは溶接にて堅固に固定されている。この仕切板８によりターボファン７の吸込側と反対側には空間９ができ、この仕切板８と空間９が連通するように開口穴１０が開いている。仕切板８の端部はＲ形状１１となっており、仕切板８が板金等の金属板の場合はカール処理となっている。送風ユニット１０２の送風機３側の下面には斜めに傾斜した斜板１２が螺子、もしくは溶接にて堅固に固定されている。
【００３９】
次に、風の流れを説明する。図４に示すように、ターボファン７を駆動することにより、調理等で発生した廃ガス、油煙、水蒸気、臭気は負圧となった捕集部１より吸込まれる。捕集部１で吸込まれた気流は、吸込チャンバ２を介してターボファン７にモータ４の軸方向に流入し、ターボファン７により円周方向へ気流の向きを変え、ほぼ全周に均一に吹きだす。吹きだした気流は仕切板８に沿うように流れ、アダプタ部１０４へ直接流入する第一空気１３と仕切板８から開口穴１０を通りＲ形状１１により気流が転向され、空間９を通りアダプタ部１０４へ流入する第二空気１４があり、これら第一空気と第二空気はアダプタ部１０４の近傍にて合流し、アダプタ部１０４より排出される。このため、アダプタ部１０４を送風ユニット１０２の上面もしくは左右どちらの面に取り付けても、アダプタ部１０４に流入する風の角度が等しくなるので、アダプタ部１０４に近い側は、アダプタ部１０４へ直接流入する第一空気１３となり、アダプタ部１０４より遠い側は、仕切板８から開口穴１０を通り空間９を通りアダプタ部１０４へ流入する第二空気１４となる。なお、アダプタ部１０４の近傍は、開口穴１０の幅寸法と同等である。また、アダプタ部１０４近傍には、第一空気１３と第二空気１４が干渉しないように風路仕切１５が取り付いている。
【００４０】
次に、吸込まれた油煙、油の流れを説明する。図５に示すように、ターボファン７によって吸込まれた油の一部はターボファン７に付着し、残りはターボファン７よりそのまま気流に含まれて吹き出る。ターボファン７に付着した油は、羽根径がダクト径の２倍のため遠心力によりターボファン７より吹き飛ばされる。この遠心力によって吹き飛ばされた油と気流に含まれた油は、送風ユニット１０２の内壁に付着し、油滴となり重力により送風ユニット１０２の下面側に落ちてくる。この油滴は斜板１２により一箇所に集められ、オイルキャッチなどで定期的に集め廃棄する。
【００４１】
上記構成において、捕集部１を薄型化にし、キッチンの収納スペースを確保しながらも、アダプタ部の取付面を限定せず、また、送風ユニット１０２内の圧力損失を最小限にすることにより気流のロスを減少させ、発生する騒音を低減し、送風ユニット１０２に油が蓄積しにくいレンジフードを提供することができる。
【００４２】
（実施の形態２）
また、図６に示すように、風路仕切１５とアダプタ部１０４を一体構造としたものである。
【００４３】
上記構成により、アダプタ部１０４を設置した場合には、風路仕切１５が必ず設置することが可能なため、取付構造を比較的単純化させ施工性を向上させたレンジフードを提供することができる。
【００４４】
（実施の形態３）
また、図７に示すように、風路仕切１５を送風ユニット１０２の外郭の一部とした構造としたものである。
【００４５】
上記構成により、アダプタ部１０４を取り付ける部分の送風ユニット１０２の外郭が回転し、外郭がそのまま風路仕切１５となることが可能なため、取付構造を比較的単純化させ施工性を向上させ、且つ、送風ユニット１０２から発生する廃棄物をなくすことのできるレンジフードを提供することができる。
【００４６】
（実施の形態４）
また、図８に示すように、送風ユニット１０２の内壁にポーラス材１６を装着した構造としたものである。
【００４７】
上記構成により、ターボファン７が駆動した際に発生する騒音源により、送風ユニット１０２の容積で決定する共鳴騒音を低下させることができるレンジフードを提供することができる。
【産業上の利用可能性】
【００４８】
本発明にかかるレンジフードは、アダプタ部の取付面に制約を無くすことが可能で、風量−静圧特性、騒音特性を悪化させない、また、送風機器の薄型化ができ、本体をキッチンに設置した時に捕集部の上面空間を広くすることが可能、また、送風機器の内部で油が堆積することがない、また、共鳴音を吸音し、騒音を低減することができるレンジフードとして有用である。
【図面の簡単な説明】
【００４９】
【図１】本発明の実施例１の側断面図
【図２】同アダプタ部を側面に取り付けた斜視図
【図３】同送風ユニットの側断面図
【図４】同風の流れを示す側断面図
【図５】同油の流れを示す側断面図
【図６】本発明の実施例２の風路仕切の斜視図
【図７】本発明の実施例３の風路仕切の側断面図
【図８】本発明の実施例４の送風ユニットの側断面図
【図９】従来のレンジフードの構造を示す側断面図
【符号の説明】
【００５０】
１      捕集部
２      吸込チャンバ
３      送風機
４      モータ
５      吸込口
６      収納スペース
７      ターボファン
８      仕切板
９      空間
１０    開口穴
１１    Ｒ形状
１２    斜板
１３    第一空気
１４    第二空気
１５    風路仕切
１６    ポーラス材
１０１  本体
１０２  送風ユニット
１０３  外郭
１０４  アダプタ部
１０５  整流板
１０６  傾斜面
１０７  側面板
１０８  水平部
１０９  傾斜部
１１０  吸気口
１１１  吸気流路
【図１】
2005282982.tif 000003
【図２】
2005282982.tif 000004
【図３】
2005282982.tif 000005
【図４】
2005282982.tif 000006
【図５】
2005282982.tif 000007
【図６】
2005282982.tif 000008
【図７】
2005282982.tif 000009
【図８】
2005282982.tif 000010
【図９】
2005282982.tif 000011